(57)【要約】【課題】適切な画像の記録動作を可能とする。【解決手段】本発明に係るインクジェットプリンタ１は、光硬化型のインクを記録媒体に吐出して当該記録媒体に画像を記録するものである。インクジェットプリンタ１は、紫外線を照射する一又は複数の光源を有する紫外線照射機構１１，１２と、紫外線照射機構１１，１２の各光源から照射された紫外線の照度を検知する一又は複数のセンサを有する照度検知機構３０と、照度検知機構３０の各センサの検知結果に基づき紫外線照射機構１１，１２の各光源から照射された紫外線の照度分布を生成する制御装置（図示略）とを、備えている。【選択図】図１
2005246954.tif 000002
【特許請求の範囲】
【請求項１】
光硬化型のインクを記録媒体に吐出して当該記録媒体に画像を記録するインクジェットプリンタにおいて、
紫外線を照射する一又は複数の光源を有する紫外線照射機構と、
前記紫外線照射機構の各光源から照射された紫外線の照度を検知する一又は複数のセンサを有する照度検知機構と、
前記照度検知機構の各センサの検知結果に基づき、前記紫外線照射機構の各光源から照射された紫外線の照度分布を生成する制御装置と、
を備えることを特徴とするインクジェットプリンタ。
【請求項２】
請求項１に記載のインクジェットプリンタにおいて、
前記紫外線照射機構及び前記照度検知機構の一方が他方に対して相対的に移動可能であることを特徴とするインクジェットプリンタ。
【請求項３】
請求項２に記載のインクジェットプリンタにおいて、
前記照度検知機構が、前記紫外線照射機構の移動方向に対し直交する方向に移動可能であることを特徴とするインクジェットプリンタ。
【請求項４】
請求項１〜３のいずれか一項に記載のインクジェットプリンタにおいて、
前記照度検知機構が、前記センサとして検知波長域の異なるセンサを２種以上有することを特徴とするインクジェットプリンタ。
【請求項５】
請求項１〜４のいずれか一項に記載のインクジェットプリンタにおいて、
前記紫外線照射機構の各光源が、冷陰極殺菌ランプ、熱陰極殺菌ランプ、低圧水銀ランプ、高圧水銀ランプ、無電極ランプ、エキシマランプ、メタルハライドランプ、キセノンランプ、ＬＥＤ及び放電管のいずれかであることを特徴とするインクジェットプリンタ。
【請求項６】
請求項１〜５のいずれか一項に記載のインクジェットプリンタにおいて、
前記インクが、一主成分としてカチオン重合性化合物を含むカチオン重合系の光硬化型インクであることを特徴とするインクジェットプリンタ。
【請求項７】
光の被照射により硬化するインクを吐出する記録ヘッドと、
記録媒体上の前記インクを硬化させるための光を照射する露光手段と、
前記露光手段から照射される光の照度を検知する照度検知機構と、
前記照度検知機構の検知結果に基づいて前記露光手段の照度分布を生成する制御手段と、
を有するインクジェットプリンタ。
【請求項８】
請求項７に記載のインクジェットプリンタにおいて、
前記制御手段により生成された前記照度分布に基づいて前記露光手段の状態を表示する表示手段を有することを特徴とするインクジェットプリンタ。
【請求項９】
請求項７に記載のインクジェットプリンタにおいて、
前記制御手段により生成された前記照度分布を表示する表示手段を有することを特徴とするインクジェットプリンタ。
【請求項１０】
請求項７に記載のインクジェットプリンタにおいて、
前記照度検知機構の検知結果に基づいて、前記露光手段中に規定照度未満の部位が存するか否かを判断する判断手段と、
前記判断手段により前記露光手段中に規定照度未満の部位が存すると判断された場合に、照度の低下を表示する表示手段と、
を有することを特徴とするインクジェットプリンタ。
【請求項１１】
請求項７に記載のインクジェットプリンタにおいて、
前記照度検知機構の検知結果に基づいて、前記露光手段中に規定照度未満の部位が存するか否かを判断する判断手段と、
前記判断手段により前記露光手段中に規定照度未満の部位が存すると判断された場合に、その判断を受けた部位を認識可能に表示する表示手段と、
を有することを特徴とするインクジェットプリンタ。
【請求項１２】
請求項７〜１１のいずれか一項に記載のインクジェットプリンタにおいて、
前記露光手段が、紫外線を照射する複数の紫外線照射機構を有することを特徴とするインクジェットプリンタ。
【請求項１３】
請求項１２に記載のインクジェットプリンタにおいて、
前記紫外線照射機構が、複数の光源を有することを特徴とするインクジェットプリンタ。
【発明の詳細な説明】
【技術分野】
【０００１】
本発明は、光硬化型のインクを記録媒体に吐出して当該記録媒体に画像を記録するインクジェットプリンタに関する。
【背景技術】
【０００２】
グラビア印刷方式より簡便・安価に画像を作成することができるという理由から、近年ではインクジェット記録方式が写真・各種印刷・マーキング・カラーフィルターといった特殊印刷等の様々な印刷分野に応用されてきている。特にインクジェット記録方式では、微細なドットを吐出・制御するインクジェット記録方式のインクジェットプリンタと、色再現域・耐久性・吐出適性等を改善したインクと、インク吸収性・色材発色性・表面光沢等を飛躍的に向上させた専用紙とを、組み合わせることで銀塩写真にも匹敵する画質を得ることができるようになっている。
【０００３】
上記インクジェットプリンタはインクの種類で分類することができる。すなわち従来のインクジェットプリンタには、室温で固形のワックスインクを用いる相変化インクジェット方式、速乾性の有機溶剤を主体としたインクを用いるソルベント系インクジェット方式、紫外線の被照射により硬化する光硬化型インクを用いる光硬化型インクジェット方式等がある。中でも光硬化型インクジェット方式は他の記録方式に比べて比較的低臭気であり、専用紙以外にも速乾性・インク吸収性のない記録媒体にも記録できる点で注目されている。
【０００４】
このような光硬化型インクジェット方式のインクジェットプリンタでは、インクを微小な液滴として記録媒体に吐出する記録ヘッドの他にも紫外線を放射する光源がキャリッジに搭載されており、記録媒体上で光源を点灯させたままキャリッジを移動させ、記録媒体に着弾した直後のインクに紫外線を照射して当該インクを即座に硬化させている（例えば特許文献１参照）。
【特許文献１】特開昭６０−１３２７６７号公報
【発明の開示】
【発明が解決しようとする課題】
【０００５】
ところで、上記した光硬化型インクジェット方式のインクジェットプリンタにおいては、画像の記録動作中等に、インクミストや塵等の異物が光源に付着して当該光源から紫外線が均一に放射されない場合がある。特に、複数の光源で１つの露光手段を構成している場合、その露光手段には、正常に紫外線を放射する光源と、異物が付着して正常に紫外線を放射しない光源とが混在し、露光手段中の一部に照度の低下した部分が存在して露光手段全体としては紫外線の照度分布が不均一となる。このような状況下において画像の記録動作をおこなうと、記録媒体に着弾したインクの各滴には紫外線が均一に照射されず、適切な画像の記録をおこなうことができない場合があるが、その原因が露光手段内のどの部位に起因するのかを把握することができない。
本発明の目的は、露光手段の照度分布を把握できるインクジェットプリンタを提供することである。さらに、本発明の他の目的は、把握された照度分布に基づいて、適切な画像の記録動作を可能とするインクジェットプリンタを提供することである。
【課題を解決するための手段】
【０００６】
上記課題を解決するため請求項１に記載の発明は、
光硬化型のインクを記録媒体に吐出して当該記録媒体に画像を記録するインクジェットプリンタにおいて、
紫外線を照射する一又は複数の光源を有する紫外線照射機構と、
前記紫外線照射機構の各光源から照射された紫外線の照度を検知する一又は複数のセンサを有する照度検知機構と、
前記照度検知機構の各センサの検知結果に基づき、前記紫外線照射機構の各光源から照射された紫外線の照度分布を生成する制御装置と、
を備えることを特徴としている。
【０００７】
請求項２に記載の発明は、
請求項１に記載のインクジェットプリンタにおいて、
前記紫外線照射機構及び前記照度検知機構の一方が他方に対して相対的に移動可能であることを特徴としている。
【０００８】
請求項３に記載の発明は、
請求項２に記載のインクジェットプリンタにおいて、
前記照度検知機構が、前記紫外線照射機構の移動方向に対し直交する方向に移動可能であることを特徴としている。
【０００９】
請求項４に記載の発明は、
請求項１〜３のいずれか一項に記載のインクジェットプリンタにおいて、
前記照度検知機構が、前記センサとして検知波長域の異なるセンサを２種以上有することを特徴としている。
【００１０】
請求項５に記載の発明は、
請求項１〜４のいずれか一項に記載のインクジェットプリンタにおいて、
前記紫外線照射機構の各光源が、冷陰極殺菌ランプ、熱陰極殺菌ランプ、低圧水銀ランプ、高圧水銀ランプ、無電極ランプ、エキシマランプ、メタルハライドランプ、キセノンランプ、ＬＥＤ及び放電管のいずれかであることを特徴としている。
【００１１】
請求項６に記載の発明は、
請求項１〜５のいずれか一項に記載のインクジェットプリンタにおいて、
前記インクが、一主成分としてカチオン重合性化合物を含むカチオン重合系の光硬化型インクであることを特徴としている。
【００１２】
請求項７に記載の発明のインクジェットプリンタは、
光の被照射により硬化するインクを吐出する記録ヘッドと、
記録媒体上の前記インクを硬化させるための光を照射する露光手段と、
前記露光手段から照射される光の照度を検知する照度検知機構と、
前記照度検知機構の検知結果に基づいて前記露光手段の照度分布を生成する制御手段と、
を有することを特徴としている。
【００１３】
請求項８に記載の発明は、
請求項７に記載のインクジェットプリンタにおいて、
前記制御手段により生成された前記照度分布に基づいて前記露光手段の状態を表示する表示手段を有することを特徴としている。
【００１４】
請求項９に記載の発明は、
請求項７に記載のインクジェットプリンタにおいて、
前記制御手段により生成された前記照度分布を表示する表示手段を有することを特徴としている。
【００１５】
請求項１０に記載の発明は、
請求項７に記載のインクジェットプリンタにおいて、
前記照度検知機構の検知結果に基づいて、前記露光手段中に規定照度未満の部位が存するか否かを判断する判断手段と、
前記判断手段により前記露光手段中に規定照度未満の部位が存すると判断された場合に、照度の低下を表示する表示手段と、
を有することを特徴としている。
【００１６】
請求項１１に記載の発明は、
請求項７に記載のインクジェットプリンタにおいて、
前記照度検知機構の検知結果に基づいて、前記露光手段中に規定照度未満の部位が存するか否かを判断する判断手段と、
前記判断手段により前記露光手段中に規定照度未満の部位が存すると判断された場合に、その判断を受けた部位を認識可能に表示する表示手段と、
を有することを特徴としている。
【００１７】
請求項１２に記載の発明は、
請求項７〜１１のいずれか一項に記載のインクジェットプリンタにおいて、
前記露光手段が、紫外線を照射する複数の紫外線照射機構を有することを特徴としている。
【００１８】
請求項１３に記載の発明は、
請求項１２に記載のインクジェットプリンタにおいて、
前記紫外線照射機構が、複数の光源を有することを特徴としている。
【発明の効果】
【００１９】
請求項１に記載の発明では、制御装置を備えるため、紫外線照射機構から照射される紫外線の照度分布を生成することができ、光源のどの部位で又はどの光源で照度が低下しているかを判断することができる。そのため、紫外線照射機構から照射される紫外線が低下した状態で画像の記録動作がおこなわれるのを未然に防止することができ、ひいては紫外線の照度低下に対応した適切な画像の記録動作を可能とすることができる。
【００２０】
請求項２に記載の発明では、紫外線照射機構及び照度検知機構の一方が他方に対して相対的に移動可能であるため、紫外線照射機構及び照度検知機構の一方を他方に対して相対的に移動させながら照度検知機構で紫外線の照度を検知することができる。
【００２１】
請求項３に記載の発明では、照度検知機構が紫外線照射機構の移動方向に対し直交する方向に移動可能であるため、照度検知機構を紫外線照射機構の移動方向に対し直交する方向に移動させながら、当該照度検知機構で紫外線の照度を検知することができる。
【００２２】
請求項４に記載の発明では、照度検知機構が検知波長域の異なるセンサを２種以上有するため、波長域の異なる紫外線をそれぞれ検知することができる。
【００２３】
請求項５に記載の発明では、インク硬化用の光源として種々の光源を適用することができる。
【００２４】
請求項６に記載の発明では、比較的低照度の紫外線でインクを硬化させることができる。
【００２５】
請求項７に記載の発明では、制御手段を有するため、露光手段の照度分布を生成可能であって露光手段の照度分布を把握することができ、照度の低下の原因が露光手段内のどの部位に起因するのかを把握することができる。
【００２６】
請求項８に記載の発明では、表示手段を有するため、露光手段の状態を表示することができる。
【００２７】
請求項９に記載の発明では、表示手段を有するため、制御手段により生成された照度分布を表示することができる。
【００２８】
請求項１０に記載の発明では、表示手段を有するため、露光手段中に規定照度未満の部位が存する場合に照度の低下を表示することができる。
【００２９】
請求項１１に記載の発明では、表示手段を有するため、露光手段中に規定照度未満の部位が存する場合にその部位を認識可能に表示することができる。
【００３０】
請求項１２に記載の発明では、露光手段が複数の紫外線照射機構を有するため、露光手段から紫外線を照射することができる。
【００３１】
請求項１３に記載の発明では、紫外線照射機構が複数の光源を有するため、単一の光源から紫外線を照射する場合よりも広い範囲にわたって紫外線を照射することができる。
【発明を実施するための最良の形態】
【００３２】
以下、図面を参照しながら本発明を実施するための最良の形態について説明する。ただし、発明の範囲は図示例に限定されない。
【００３３】
［第１の実施形態］
図１はインクジェットプリンタ１の斜視図である。
図１に示す通り、インクジェットプリンタ１は記録媒体に対し画像の記録動作をおこなう部分として画像記録部２を有している。画像記録部２には記録媒体に画像を記録するための各種記録系部材が配設されている。画像記録部２は一部、左右側面が多角形状を有しかつ左右方向に延在する長尺な筐体３で覆われている。筐体３の前側には正面視して四角形状の開口部３ａが形成されており、画像記録部２での記録動作を開口部３ａから視認することができるようになっている。一方、筐体３の後側には記録媒体を筐体３の内部に送り込むためのスリット状の搬入口（図示略）が形成されている。
【００３４】
画像記録部２には、左右方向に延在する長尺状でかつ平板状のプラテン４が配設されている。プラテン４は、記録媒体を非記録面（記録面の反対側の面）からシート状に支持するものである。
【００３５】
図１では記録媒体を省略しているが、記録媒体は、筐体３の後側の搬入口から送り込まれ、筐体３の内部に配設された搬送機構２２（図４参照）によりプラテン４で非記録面を支持されながら筐体３の内部を後方から前方へ通過し、筐体３の外部に搬出されるようになっている。つまり、記録媒体は搬送機構２２により筐体３の内部を通過するように搬送方向Ａに沿って搬送される。
【００３６】
プラテン４の上方には筐体３の内部で左右方向に延在する長尺なガイド部材５が配設されている。ガイド部材５にはキャリッジ６が支持されている。キャリッジ６はガイド部材５によりガイド・支持された状態で左右方向に延びる走査方向Ｂに沿って走査自在（移動自在）とされている。キャリッジ６の走査方向Ｂは記録媒体の搬送方向Ａに対し直交している。
【００３７】
キャリッジ６には、イエロー（Ｙ），マゼンタ（Ｍ），シアン（Ｃ），ブラック（Ｋ）の各プロセスカラーのインクを下方に向けて吐出する４つの記録ヘッド７〜１０が一列に並んだ状態で搭載されている。各記録ヘッド７〜１０の下面には多数のノズル（図示略）がそれぞれ配列されており、各記録ヘッド７〜１０はノズルからインクを微小な液滴として吐出するようになっている。
【００３８】
また、キャリッジ６には、記録媒体上に着弾したインクを硬化させるための光を照射する露光手段５０が配されている。露光手段５０は、紫外線を下方に向けて照射する２つの紫外線照射機構１１，１２を有している。紫外線照射機構１１，１２は、４つの記録ヘッド７〜１０からなる記録ヘッド群の左右両側にそれぞれ配設されている。
図２は、紫外線照射機構１１の構成を示す斜視図であって下方から紫外線照射機構１１を見た図面である。
【００３９】
図２に示す通り、紫外線照射機構１１の下部には紫外線を放射する光源としての複数のＬＥＤ（Light Emitting Diode）１３，１３，…；１４，１４，…；１５，１５，…が配されている。紫外線照射機構１１は、各ＬＥＤ１３，１４，１５が点灯することで紫外線を下方に向けて照射できるようになっている。ＬＥＤ１３は、図２中点線「Ｙ１」で示す列Ｙ１に沿って等間隔で列状に配されている。同様に、ＬＥＤ１４は、図２中点線「Ｙ２」で示す列Ｙ２に沿って等間隔で列状に配されており、ＬＥＤ１５は、図２中点線「Ｙ３」で示す列Ｙ３に沿って等間隔で列状に配されている。図２に示す各列Ｙ１，Ｙ２，Ｙ３は、図１に示す記録媒体の搬送方向Ａに沿っている。そのため、列Ｙ１のＬＥＤ１３、列Ｙ２のＬＥＤ１４及び列Ｙ３のＬＥＤ１５は、列Ｙ１，Ｙ２，Ｙ３ごとに記録媒体の搬送方向Ａに沿って配置されている。
【００４０】
また、複数のＬＥＤ１３，１３，…；１４，１４，…；１５，１５，…は、図２中点線「Ｘ１〜Ｘ７」で示す行Ｘ１〜Ｘ７に沿って配されている。図２に示す各行Ｘ１〜Ｘ７はキャリッジ６の走査方向Ｂに沿っている。そのため、各行Ｘ１〜Ｘ７のＬＥＤ１３，１４，１５は行Ｘ１〜Ｘ７ごとにキャリッジ６の走査方向Ｂに沿っている。
【００４１】
なお、ここでは、２つの紫外線照射機構１１，１２のうち一方の紫外線照射機構１１についてのみ説明したが、他方の紫外線照射機構１２も紫外線照射機構１１と同様の構成を有している。
【００４２】
図１においてプラテン４の左側には、４つの記録ヘッド７〜１０に供給するためのインクを貯留する４つのインクタンク２３〜２６が配設されている。各インクタンク２３〜２６は、フレキシブルチューブ等の供給部材（図示略）を介してＹ，Ｍ，Ｃ，Ｋの色ごとにその色を吐出する記録ヘッド７〜１０にそれぞれ連結されており、各記録ヘッド７〜１０で吐出する色に応じたインクがその色を貯留するインクタンク２３〜２６から各記録ヘッド７〜１０にそれぞれ供給されるようになっている。
【００４３】
図１においてプラテン４の右側には、各紫外線照射機構１１，１２の紫外線の照度（照射強度）を検知する照度検知機構３０が配されている。
図３は、照度検知機構３０を示す平面図である。
【００４４】
図３に示す通り、照度検知機構３０には紫外線の照度（光量）を検知する複数のセンサ３１，３１，…；３２，３２，…；３３，３３，…が配されている。センサ３１は、図３中点線「Ｙ１’」で示す列Ｙ１’に沿って等間隔で列状に配されている。同様に、センサ３２は、図３中点線「Ｙ２’」で示す列Ｙ２’に沿って等間隔で列状に配されており、センサ３３は、図３中点線「Ｙ３’」で示す列Ｙ３’に沿って等間隔で列状に配されている。図３に示す各列Ｙ１’，Ｙ２’，Ｙ３’は、図１に示す記録媒体の搬送方向Ａに沿っている。そのため、列Ｙ１’のセンサ３１、列Ｙ２’のセンサ３２及び列Ｙ３’のセンサ３３は、列Ｙ１’，Ｙ２’，Ｙ３’ごとに記録媒体の搬送方向Ａに沿って配置されている。
【００４５】
また、複数のセンサ３１，３１，…；３２，３２，…；３３，３３，…は、図３中点線「Ｘ１’〜Ｘ７’」で示す行Ｘ１’〜Ｘ７’に沿って配されている。図３に示す各行Ｘ１’〜Ｘ７’はキャリッジ６の走査方向Ｂに沿っている。そのため、各行Ｘ１’〜Ｘ７’のセンサ３１，３２，３３は行Ｘ１’〜Ｘ７’ごとにキャリッジ６の走査方向Ｂに沿っている。
【００４６】
照度検知機構３０は、図１中プラテン４の右側の位置であって各紫外線照射機構１１，１２の移動軌道上の下方に固定的に配置されている。各紫外線照射機構１１，１２が照度検知機構３０の直上に位置したとき、列Ｙ１と列Ｙ１’とが相対し、列Ｙ２と列Ｙ２’とが相対し、列Ｙ３と列Ｙ３’とが相対するようになっており、同時に、行Ｘ１と行Ｘ１’とが相対し、行Ｘ２と行Ｘ２’とが相対し、行Ｘ３と行Ｘ３’とが相対し、行Ｘ４と行Ｘ４’とが相対し、行Ｘ５と行Ｘ５’とが相対し、行Ｘ６と行Ｘ６’とが相対し、行Ｘ７と行Ｘ７’とが相対するようになっている。
【００４７】
すなわち、本第１の実施形態では、列Ｙ１〜Ｙ３及び行Ｘ１〜Ｘ７で表現された各ＬＥＤ１３，１４，１５が、列Ｙ１’〜Ｙ３’及び行Ｘ１’〜Ｘ７’で表現された各センサ３１，３２，３３と１対１で対応するようになっており、ＬＥＤ１３，１４，１５から照射された紫外線の照度が、その列Ｙ１〜Ｙ３及び行Ｘ１〜Ｘ７に対応する列Ｙ１’〜Ｙ３’及び行Ｘ１’〜Ｘ７’のセンサ３１，３２，３３で検知されるようになっている。
【００４８】
図１に示す通り、インクジェットプリンタ１では画像記録部２の下部が逆Ｔ字状の２本の脚７０，７０により支持されている。各脚７０間には画像記録部２に配設された各種部材やインクタンク２３〜２６、照度検知機構３０等の自重を強固に支持するための２本の補強部材７１，７１が架け渡されており、各脚７０の下部にはキャスタ７２が２個ずつ配設されている。このような構成によりインクジェットプリンタ１は前後方向又は左右方向に移動自在となっている。
【００４９】
図４はインクジェットプリンタ１の回路構成を示すブロック図である。
制御装置６０はインクジェットプリンタ１の動作を制御するものであり、汎用のＣＰＵ（Central Processing Unit），ＲＯＭ（Read Only Memory），ＲＡＭ（Random Access Memory）等から構成された制御部６１を有している。制御部６１は、ＲＯＭに記録された処理プログラムをＲＡＭに展開してＣＰＵにより当該処理プログラムを実行するようになっている。
【００５０】
制御部６１には搬送機構２２，キャリッジ６，記録ヘッド７〜１０，紫外線照射機構１１，１２の各種部材等が接続されており、制御部６１は、搬送機構２２，キャリッジ６，記録ヘッド７〜１０，紫外線照射機構１１，１２の各種部材の動作状況等のステータスに基づいて、各構成の動作を制御するようになっている。本第１の実施形態においては、照度検知機構３０の各センサ３１，３２，３３が制御部６１に接続されており、制御手段としての制御部６１が、各センサ３１，３２，３３の検知結果に基づき、各紫外線照射機構１１，１２の紫外線の２次元照度分布を生成するようになっている（図５参照）。
【００５１】
なお、インクジェットプリンタ１には、各紫外線照射機構１１，１２における紫外線の照度低下等を表示する表示パネル２１が配されており、表示手段としての表示パネル２１も制御部６１に接続されている。
【００５２】
次に、本第１の実施形態に用いられる「インク」について説明する。
本第１の実施形態に用いられるインクは、紫外線の被照射により硬化する性質を具備する光硬化型インクであって、オキセタン化合物，エポキシ化合物，ビニルエーテル化合物等の重合性化合物（公知の重合性化合物を含む。）、光開始剤及び色材を主成分とするインクである。
【００５３】
光硬化型インクは、重合性化合物として、ラジカル重合性化合物を含むラジカル重合系インクとカチオン重合性化合物を含むカチオン重合系インクとに大別されるが、その両系のインクが本第１の実施形態に用いられるインクとしてそれぞれ適用可能であり、ラジカル重合系インクとカチオン重合系インクとを複合させたハイブリッド型インクを本第１の実施形態に用いられるインクとして適用してもよい。
【００５４】
次に、本第１の実施形態に用いられる「記録媒体」について説明する。
本第１の実施形態に用いられる記録媒体としては、インクに対して非吸収性の記録媒体であってもよいし、インクに対して吸収性の記録媒体であってもよい。ここでいう「非吸収性」とは、インク組成物を吸収しないという意味であるけれども、本第１の実施形態においては、ブリストウ法におけるインクの転移量が０．１ｍｌ／ｍｍ2未満である場合に実質的に０ｍｌ／ｍｍ2であるような記録媒体を非吸収性の記録媒体といい、それ以外の記録媒体を吸収性の記録媒体という。
【００５５】
非吸収性の記録媒体としては、例えば、通常の非コート紙、コート紙等の他、軟包装に用いられる各種樹脂製フィルムを適用することができる。樹脂製フィルムの具体的な樹脂の種類として、ポリエチレンテレフタレート，ポリエステル，ポリオレフィン，ポリアミド，ポリエステルアミド，ポリエーテル，ポリイミド，ポリアミドイミド，ポリスチレン，ポリカーボネート，ポリ-ρ-フェニレンスルフィド，ポリエーテルエステル，ポリ塩化ビニル，ポリ（メタ）アクリル酸エステル，ポリエチレン，ポリプロピレン，ナイロン等が適用可能であり、さらにはこれら樹脂の共重合体、これら樹脂の混合物、これら樹脂を架橋したもの等も適用可能である。そしてこれら非吸収性の記録媒体としては、表面エネルギーが３５〜６０ｍＮ／ｍの範囲に収まるものが好ましく、表面エネルギーが４０〜６０ｍＮ／ｍの範囲に収まるものがさらに好ましい。また吸収性の記録媒体としては、例えば、普通紙（コピー用紙），上質紙等が挙げられる。
【００５６】
続いてインクジェットプリンタ１の動作・作用を説明する。
インクジェットプリンタ１の記録動作が開始されると、搬送機構２２が作動し、筐体３の搬入口から筐体３の内部に送り込まれた記録媒体が、筐体３の内部でプラテン４により非記録面を支持されながら搬送方向Ａに沿って搬送される。これに伴いキャリッジ６が作動して記録媒体の直上を走査方向Ｂに沿って往復移動し、４つの記録ヘッド７〜１０と２つの紫外線照射機構１１，１２とがキャリッジ６の往復移動に追従する。
【００５７】
この状態において各記録ヘッド７〜１０が記録媒体の記録面に向かってインクを吐出するとともに、紫外線照射機構１１，１２の各ＬＥＤ１３，１４，１５が点灯して各紫外線照射機構１１，１２から記録媒体の記録面に紫外線を照射する。この場合、キャリッジ６が図１中左方から右方に移動するときは、２つの紫外線照射機構１１，１２のうち一方の紫外線照射機構１１の各ＬＥＤ１３，１４，１５が点灯し、逆にキャリッジ６が図１中右方から左方に移動するときは、他方の紫外線照射機構１２の各ＬＥＤ１３，１４，１５が点灯する。つまり、キャリッジ６の移動中においては、当該キャリッジ６の移動方向の記録ヘッド７〜１０より後側の紫外線照射機構１１，１２の各ＬＥＤ１３，１４，１５が点灯する。すると、各記録ヘッド７〜１０から吐出されたインクが記録媒体の記録面に着弾してその直後に紫外線の照射を受ける。これによりインクが即座に硬化して記録媒体の記録面上に定着する。
【００５８】
以降、インクジェットプリンタ１が上記の各動作を繰り返し、各プロセスカラーの無数のドットからなる所望の画像が記録媒体の記録面に順次記録される。
【００５９】
ここで、インクジェットプリンタ１では、所定数の画像を記録するごとに、制御装置６０の制御部６１（ＣＰＵ）が、下記の通り、各紫外線照射機構１１，１２の紫外線の「照度検知処理」をおこなうようになっている。
【００６０】
照度検知処理では、始めに、制御部６１のＣＰＵは、キャリッジ６を照度検知機構３０の近傍に移動させ、一方の紫外線照射機構１１を照度検知機構３０の直上に位置させる。この状態において、紫外線照射機構１１のすべてのＬＥＤ１３，１３，…；１４，１４，…；１５，１５，…を点灯させ、照度検知機構３０の各センサ３１，３２，３３で紫外線の照度を検知させる。
【００６１】
紫外線の照度を検知させたら、各センサ３１，３２，３３の検知結果に基づき、紫外線照射機構１１の紫外線の２次元照度分布を生成する。
【００６２】
図５は２次元照度分布の一例を示す図面である。
図５に示す通り、当該２次元照度分布は、列Ｙ１〜Ｙ３と行Ｘ１〜Ｘ７とによって区画化された分布であって、各区画に対し各センサ３１，３２，３３の検知結果に基づく照度が当てられたものである。
【００６３】
図５に示すような２次元照度分布を生成したら、その２次元照度分布から、各列Ｙ１〜Ｙ３の照度プロファイルを列Ｙ１〜Ｙ３ごとにそれぞれ生成する。
【００６４】
図６は列Ｙ１〜Ｙ３の照度プロファイルの一例を示す図面であって、図６（ａ）は列Ｙ１の照度プロファイルを示し、図６（ｂ）は列Ｙ２の照度プロファイルを示し、図６（ｃ）は列Ｙ３の照度プロファイルを示す。
図６（ａ）〜図６（ｃ）に示す通り、各照度プロファイルでは、紫外線の検知位置に対する紫外線の照度が示されている。詳しくは、図６（ａ）の照度プロファイルでは列Ｙ１’の各センサ３１の配置位置に対する紫外線の照度が示され、図６（ｂ）の照度プロファイルでは列Ｙ２’の各センサ３２の配置位置に対する紫外線の照度が示され、図６（ｃ）の照度プロファイルでは列Ｙ３’の各センサ３１の配置位置に対する紫外線の照度が示されている。
【００６５】
照度プロファイルを列Ｙ１，Ｙ２，Ｙ３ごとに生成したら、制御部６１のＣＰＵは、判断手段として機能して、その生成した各列Ｙ１，Ｙ２，Ｙ３の照度プロファイルに基づき、当該照度プロファイル中の照度が規定照度以上であるか否かを列Ｙ１，Ｙ２，Ｙ３ごとにそれぞれ判断する。ここでいう「規定照度」とは、各ＬＥＤ１３，１４，１５から照射される紫外線の最高照度の７０％（好ましくは９０％）の照度である。当該規定照度は、予め設定されるものであって表示パネル２１のパネル操作等により適宜変更可能であり、その設定された規定照度は制御部６１（ＲＯＭ又はＲＡＭ）に格納されている。
【００６６】
例えば、列Ｙ１〜Ｙ３の照度プロファイルの生成処理で図６（ａ）〜（ｃ）の照度プロファイルを生成したとして、図６（ａ），（ｃ）に示す通り、照度プロファイル中の照度が規定照度以上である場合には、列Ｙ１，Ｙ３の各ＬＥＤ１３，１５には「照度低下」は無いと判断する。他方、図６（ｂ）に示す通り、照度プロファイル中の照度が一部規定照度未満である場合には、列Ｙ２の複数のＬＥＤ１４，１４，…には「照度低下」があると判断するとともに、その列Ｙ２の照度プロファイルに基づき、複数のＬＥＤ１４，１４，…のなかから「照度低下」の判断結果に起因する列Ｙ２のＬＥＤ１４を具体的に特定する。
【００６７】
これと同時に、図５に示すような２次元照度分布を生成したら、その２次元照度分布から、列Ｙ１〜Ｙ３ごとの照度プロファイルを生成したときと同様に、図７に示すような照度プロファイルを行Ｘ１〜Ｘ７ごとに生成する。図７では、行Ｘ４〜Ｘ６の照度プロファイルを省略しているが、これら行Ｘ４〜Ｘ６についても図７（ａ）〜（ｃ），（ｇ）と同様の照度プロファイルを生成する。
【００６８】
各行Ｘ１〜Ｘ７の照度プロファイルを生成したら、その生成した各行Ｘ１〜Ｘ７の照度プロファイルに基づき、検知範囲の照度の積分値（各行Ｘ１’〜Ｘ７’のセンサ３１，３２，３３で検知可能な検知範囲の照度を積算した値）を行Ｘ１〜Ｘ７ごとに算出し、それら積分値が規定積分値以上であるか否かを行Ｘ１〜Ｘ７ごとに判断する。ここでいう「規定積分値」とは、インクを硬化させるのに最低限必要な紫外線の総照度（総光量）である。当該規定積分値は、予め設定されるものであって表示パネル２１のパネル操作等により適宜設定可能であり、その設定された規定積分値は制御部６１（ＲＯＭ又はＲＡＭ）に格納されている。
【００６９】
例えば、行Ｘ１〜Ｘ７の照度プロファイルの生成処理で図７（ａ）〜（ｇ）の照度プロファイルを生成したとして、図７（ａ），（ｂ），（ｇ）に示す通り、照度の積分値（図中実線で囲まれた領域）が規定積分値（図中点線斜線で示す領域）以上である場合には、行Ｘ１，Ｘ２，Ｘ７（のＬＥＤ１３，１４，１５）はインクを硬化させるのに十分な光量を有しており、「照度十分」と判断する。他方、図７（ｃ）に示す通り、照度の積分値が規定積分値未満である場合には、行Ｘ３（のＬＥＤ１３，１４，１５）はインクを硬化させるのに光量が足りず、「照度不足」と判断する。
【００７０】
このように、各列Ｙ１〜Ｙ３及び各行Ｘ１〜Ｘ７の照度プロファイルから「照度低下」及び「照度不足」の有無を判断したら、一方の紫外線照射機構１１の紫外線の照度検知処理を終了し、その後、他方の紫外線照射機構１２の紫外線の照度検知処理を、上記した一方の紫外線照射機構１１の紫外線の照度検知処理と同様におこなう。
【００７１】
そして各紫外線照射機構１１，１２の紫外線の照度検知処理を終えた時点で、各列Ｙ１〜Ｙ３の照度プロファイル中の照度に規定照度未満のものがなく、各行Ｘ１〜Ｘ７の照度プロファイル中の照度の積分値に規定積分値未満のものがないと判断したら、通常の画像の記録動作を続行させる。
【００７２】
他方、各紫外線照射機構１１，１２の紫外線の照度検知処理を終えた時点で、各紫外線照射機構１１，１２の複数のＬＥＤ１３，１３，…；１４，１４，…；１５，１５，…のなかに、照度プロファイル中の照度が規定照度未満で「照度低下」と判断・特定されたＬＥＤ１３，１４，１５が存すると判断したら、制御装置６０の制御部６１（ＣＰＵ）は「照度表示処理」をおこなう。
【００７３】
当該照度表示処理では、制御部６１のＣＰＵは、下記（１）〜（９）の事項の全部又は一部を文字、記号、画像等により表示パネル２１に表示させる。
（１）生成した２次元照度分布そのもの（図５参照）
（２）生成した２次元照度分布を模式的に表現したもの
（３）各列Ｙ１〜Ｙ３の照度プロファイルそのもの（図６参照）
（４）各行Ｘ１〜Ｘ７の照度プロファイルそのもの（図７参照）
（５）紫外線照射機構１１，１２の紫外線の照射状態（「良好」，「不良」，「部分的に不良」というような文字やそれを示す記号等）
（６）紫外線照射機構１１，１２で紫外線の照度低下が発生している旨
（７）紫外線照射機構１１，１２中における「照度低下」と判断した部位
（８）「照度低下」と判断した紫外線照射機構１１，１２
（９）「照度低下」と特定したＬＥＤ１３，１４，１５
【００７４】
ここでは、表示パネル２１への表示事項を例示したが、これら表示事項がインクジェットプリンタ１と接続したコンピュータシステムの表示パネル上で表示される構成としてもよい。
【００７５】
また、各紫外線照射機構１１，１２の紫外線の照度検知処理を終えた時点で、各行Ｘ１〜Ｘ７のなかに、「照度不足」と判断した行Ｘ１〜Ｘ７が存したら、制御装置６０の制御部６１（ＣＰＵ）は「積分値上昇処理」をおこなう。
【００７６】
積分値上昇処理とは、以後の画像の記録動作において、照度の積分値が規定積分値以上となるようにその行Ｘ１〜Ｘ７のＬＥＤ１３，１４，１５の光量を上昇させる処理のことである。
【００７７】
例えば、図８（ａ）に示す通り、行Ｘ３の照度の積分値が規定積分値未満であったら、図８（ｂ）に示す通り、その行Ｘ３の照度の積分値が規定積分値以上となるように行Ｘ３のＬＥＤ１３，１４，１５の光量を上昇させる処理をおこなう。
【００７８】
積分値上昇処理の具体例としては、
（Ａ）ＬＥＤ１３，１４，１５に供給する電力を上昇させる処理
（Ｂ）ＬＥＤ１３，１４，１５の紫外線の照射時間を延長する処理
等がある。
【００７９】
上記（Ａ）の処理を適用する場合には、光量を上昇させようとする行Ｘ１〜Ｘ７の全部のＬＥＤ１３，１４，１５に対して供給する電力を上昇させる（その行Ｘ１〜Ｘ７の一部のＬＥＤ１３，１４，１５に対してのみ供給する電力を上昇させてもよい。）。他方、上記（Ｂ）の処理を適用する場合には、キャリッジ６の移動速度（走査速度）を遅くする。
【００８０】
以上の第１の実施形態では、各紫外線照射機構１１，１２の紫外線の照度検知処理において、各センサ３１，３２，３３の検知結果に基づき、各列Ｙ１，Ｙ２，Ｙ３及び各行Ｘ１〜７の照度プロファイルを生成して「照度低下」及び「照度不足」の有無を判断し、必要に応じて「照度表示処理」及び「積分値上昇処理」をおこなうようになっている。そのため、各紫外線照射機構１１，１２から照射される紫外線の照度が低下した状態で、画像の記録動作がおこなわれるのを未然に防止することができ、ひいては各紫外線照射機構１１，１２の紫外線の照度低下に対応した適切な画像の記録動作をおこなうことができる。
【００８１】
なお、第１の実施形態では、本発明の主旨を逸脱しない範囲において種々の改良や設計の変更をおこなってもよい。
例えば、図５に示すような２次元照度分布を生成せずとも、列Ｙ１〜Ｙ３にのみ関する紫外線の１次元照度分布を生成し、その１次元照度分布から図６に示すような照度プロファイルを列Ｙ１〜Ｙ３ごとに生成して「照度低下」の有無を判断し、必要に応じて上記「照度表示処理」だけをおこなうようにしてもよいし、他方、行Ｘ１〜Ｘ７にのみ関する紫外線の１次元照度分布を生成し、その１次元照度分布から図７に示すような照度プロファイルを行Ｘ１〜Ｘ７ごとに生成して「照度不足」の有無を判断し、必要に応じて上記「積分値上昇処理」だけをおこなうようにしてもよい。
【００８２】
また、第１の実施形態では、紫外線照射機構１１，１２に対し複数の点状の光源（ＬＥＤ１３，１４，１５）を列Ｙ１〜Ｙ３の３列にわたって配したが、１列に並べてもよいし、２列に並べてもよいし、４列以上に並べてもよく、各列を構成する光源の個数は１個でもよいし、２個以上でもよい。光源の列数を変更した場合には、照度検知機構３０のセンサ（センサ３１，３２，３３）の列数を光源の列数と同一とし、光源の列とセンサの列とが互いに相対するように光源及びセンサを配置するのがよい。
【００８３】
これと同様に、複数の点状の光源（ＬＥＤ１３，１４，１５）を１行に並べてもよいし、２行〜６行に並べてもよいし、８行以上に並べてもよく、各行を構成する光源の個数は１個でもよいし、２個以上でもよい。光源の行数を変更した場合には、照度検知機構３０のセンサ（センサ３１，３２，３３）の行数を光源の行数と同一とし、光源の行とセンサの行とが互いに相対するように光源及びセンサを配置するのがよい。
【００８４】
更に上記「照度検知処理」では、紫外線照射機構１１，１２と照度検知機構３０とを静止させた状態で紫外線の照度を検知したが、各機構の一方を他方に対して相対的に移動させながら紫外線の照度を検知する構成としてもよい。このような構成を適用する場合の構成及びそのときの検知態様の一例を、下記の通りに図９を参照しながら説明する。
【００８５】
１つの構成・検知態様として、紫外線照射機構１１，１２に代えて図９（ａ）に示す紫外線照射機構１００を適用し、照度検知機構３０に代えて図９（ａ）に示す照度検知機構１１０を適用する。紫外線照射機構１００はＬＥＤ１３，１４，１５と同様の複数のＬＥＤ１０１，１０１，…を有しており、ＬＥＤ１０１が記録媒体の搬送方向Ａに沿って１列に配されている。照度検知機構１１０はセンサ３１，３２，３３と同様の複数のセンサ１１１，１１１，…を有しており、センサ１１１がＬＥＤ１０１の列に相対するように記録媒体の搬送方向Ａに沿って１列に配されている。照度検知機構１１０は照度検知機構３０と同様の位置に固定されている。
【００８６】
このような構成においては、各ＬＥＤ１０１を点灯させたまま紫外線照射機構１００（キャリッジ６）をキャリッジ６の走査方向Ｂに沿う左右方向に移動させ、その移動中に、照度検知機構１１０の各センサ１１１で紫外線の照度を検知させる。
【００８７】
他の構成・検知態様として、紫外線照射機構１１，１２に代えて図９（ｂ）に示す紫外線照射機構１２０を適用し、照度検知機構３０に代えて図９（ｂ）に示す照度検知機構１１０を適用する。紫外線照射機構１２０はＬＥＤ１３，１４，１５と同様の複数のＬＥＤ１２１，１２１，…を有しており、ＬＥＤ１２１が記録媒体の搬送方向Ａに沿って複数列にわたり配されている。図９（ｂ）ではＬＥＤ１２１が２列にわたり図示されているが、３列以上にわたり配されてもよい。図９（ｂ）に示す照度検知機構１１０は図９（ａ）を用いて説明したものと同様のものである。
【００８８】
このような構成においては、各ＬＥＤ１２１を点灯させたまま紫外線照射機構１２０（キャリッジ６）をキャリッジ６の走査方向Ｂに沿う左右方向に移動させ、その移動中に、照度検知機構１１０の各センサ１１１で紫外線の照度を、ＬＥＤ１２１の列ごとに順に検知させる。
【００８９】
他の構成・検知態様として、紫外線照射機構１１，１２に代えて図９（ｃ）に示す紫外線照射機構１００を適用し、照度検知機構３０に代えて図９（ｃ）に示す照度検知機構１３０を適用する。図９（ｃ）に示す紫外線照射機構１００は図９（ａ）を用いて説明したものと同様のものである。照度検知機構１３０はセンサ３１，３２，３３と同様の単一のセンサ１３１を有しており、記録媒体の搬送方向Ａに沿う前後方向に移動自在となっている。
【００９０】
このような構成においては、紫外線照射機構１００を照度検知機構１３０の直上で静止させたまま各ＬＥＤ１０１を点灯させ、その点灯中に、照度検知機構１３０を記録媒体の搬送方向Ａに沿う前後方向に移動させながら、センサ１３１で紫外線の照度を検知させる。
【００９１】
他の構成・検知態様として、紫外線照射機構１１，１２に代えて図９（ｄ）に示す紫外線照射機構１２０を適用し、照度検知機構３０に代えて図９（ｄ）に示す照度検知機構１４０を適用する。図９（ｄ）に示す紫外線照射機構１２０は図９（ｂ）を用いて説明したものと同様である。照度検知機構１４０はセンサ３１，３２，３３と同様の複数のセンサ１４１，１４１，…を有しており、各センサ１４１がキャリッジ６の走査方向Ｂに沿って１列に配されている。センサ１４１はＬＥＤ１２１の列数と同じ数だけ配されており、各センサ１４１がＬＥＤ１２１の列と相対するようになっている。照度検知機構１４０は記録媒体の搬送方向Ａに沿う前後方向に移動自在となっている。
【００９２】
このような構成においては、紫外線照射機構１２０を照度検知機構１４０の直上で静止させたまま各ＬＥＤ１２１を点灯させ、その点灯中に、照度検知機構１４０を記録媒体の搬送方向Ａに沿う前後方向に移動させながら、ＬＥＤ１２１の列ごとに各センサ１４１で紫外線の照度を検知させる。
【００９３】
他の構成・検知態様として、紫外線照射機構１１，１２に代えて図９（ｅ）に示す紫外線照射機構１２０を適用し、照度検知機構３０に代えて図９（ｅ）に示す照度検知機構１５０を適用する。図９（ｅ）に示す紫外線照射機構１２０は図９（ｂ）を用いて説明したものと同様である。照度検知機構１５０はセンサ３１，３２，３３と同様の単一のセンサ１５１を有しており、記録媒体の搬送方向Ａに沿う前後方向と走査方向Ｂに沿う左右方向とにそれぞれ移動自在となっている。
【００９４】
このような構成においては、紫外線照射機構１２０を照度検知機構１５０の直上で静止させたまま各ＬＥＤ１２１を点灯させ、その点灯中に、照度検知機構１５０を、記録媒体の搬送方向Ａに沿う前後方向の移動とキャリッジ６の走査方向Ｂに沿う左右方向の移動とを交互に組み合わせた蛇行移動をおこなわせながら、ＬＥＤ１２１の列ごとにセンサ１５１で紫外線の照度を検知させる。
【００９５】
更に、第１の実施形態では、照度検知機構３０に代えて図１０に示す照度検知機構１６０を適用してもよい。図１０に示す照度検知機構１６０は、紫外線照射機構１１，１２のＬＥＤ１３，１４，１５から照射された紫外線を集光するレンズ１６１と、ＣＣＤ（Charge Coupled Devices）等の２次元センサ１６２とを、有している。
【００９６】
このような構成においては、照度検知機構１６０の直上で紫外線照射機構１１，１２のＬＥＤ１３，１４，１５を点灯させ、各ＬＥＤ１３，１４，１５から照射された紫外線をレンズ１６１で集光させ、その集光させた紫外線を２次元センサ１６２で紫外線の照度を検知させる。
【００９７】
以上のように、図９及び図１０に示す構成・検知態様を適用した場合には、図５に示すような２次元照度分布を、図１１に示す通り、列Ｙ１〜Ｙ３及び行Ｘ１〜Ｘ７ごとに更に細かく分割してその各区画に各センサ１１１，１３１，１４１，１５１，１６２の検知結果に基づく照度を当ててもよい。
【００９８】
この場合には、当該２次元照度分布を生成したら、各列Ｙ１〜Ｙ３で区画列ごとに照度プロファイルを生成して「照度低下」の有無を判断し、必要に応じて「照度表示処理」をおこなう。例えば、図１１に示すような２次元照度分布を生成したとしたら、その２次元照度分布から、図１２に示すような照度プロファイルを生成することができる。図１２（ａ）は列Ｙ１の４番目の区画列の照度プロファイルを示し、図１２（ｂ）は列Ｙ２の４番目の区画列の照度プロファイルを示し、図１２（ｃ）は列Ｙ３の４番目の照度プロファイルを示しているが、図１１に示すような２次元照度プロファイルを生成すれば、照度プロファイル中の照度の変動や規定照度との大小関係をより細かく把握することができる。そして図１２（ｂ）に示す通り、照度プロファイル中の照度に規定照度未満のものがあれば、「照度表示処理」をおこなう。
【００９９】
これと同様に、各行Ｘ１〜Ｘ７でも区画行ごとに照度プロファイルを生成して「照度不足」の有無を判断し、必要に応じて「積分値上昇処理」をおこなう。例えば、図１１に示すような２次元照度分布を生成したら、その２次元照度分布から、図１３に示すような照度プロファイルを生成することができる。図１３（ａ）は行Ｘ１の４番目の区画行の照度プロファイルを示し、図１３（ｂ）は行Ｘ２の４番目の照度プロファイルを示し、図１３（ｃ）は行Ｘ３の４番目の照度プロファイルを示し、…、図１３（ｇ）は行Ｘ７の４番目の照度プロファイルを示しているが、図１１に示すような２次元照度プロファイルを生成すれば、より正確な照度の積分値を算出することができる。そして図１４（ａ）に示す通り、算出した照度の積分値が規定積分値未満であれば、図１４（ａ）に示す状態から図１４（ｂ）に示す状態に移行するように（その区画行の照度の積分値が規定積分値以上となるように）「積分値上昇処理」をおこなう。
【０１００】
なお、図１１に示す２次元照度分布では、各列Ｙ１〜Ｙ３の４番目の区画と各行Ｘ１〜Ｘ７の４番目の区画とに対応する区画のみに照度を示しているが、同図中「…」で示す各区画にも照度が示されている。また各列Ｙ１〜Ｙ３の区画の分割数は任意に設定可能であり、各列Ｙ１〜Ｙ３の区画を１つとしてもよいし、２つ以上としてもよい。同様に各行Ｘ１〜Ｘ７の区画の分割数も任意に設定可能であり、各行Ｘ１〜Ｘ７の区画を１つとしてもよいし、２つ以上としてもよい。
【０１０１】
［第２の実施形態］
本第２の実施形態では、図２に示す２つの紫外線照射機構１１，１２に代えて、図１５に示す紫外線照射機構１６がそれぞれ適用され、それ以外の構成（適用可能なインクや記録媒体等を含む。）が上記第１の実施形態と同様となっている。
【０１０２】
下記では第１の実施形態と異なる点を中心に説明をおこなう。
図１５は紫外線照射機構１６の斜視図であって下方から紫外線照射機構１５を見た図面である。
図１５に示す通り、紫外線照射機構１６の下部には紫外線を放射する光源としての放電管１７が配されている。放電管１７は、複数の長尺部１７ａ〜１７ｆと複数の短尺部１７ｇ〜１７ｋとを有し、長尺部１７ａ〜１７ｆと短尺部１７ｇ〜１７ｋとが交互に連結して全体として葛折り状を呈している。放電管１７の各長尺部１７ａ〜１７ｆは互いに平行で記録媒体の搬送方向Ａに沿っており、各短尺部１７ｇ〜１７ｋは互いに平行でキャリッジ６の走査方向Ｂに沿っている。
【０１０３】
このような構成を備える紫外線照射機構１６が照度検知機構３０の直上に位置した場合には、図１５中点線「Ｙ１１」で示す列Ｙ１１が、照度検知機構３０の列Ｙ１１’と相対し、図１５中点線「Ｙ１２」で示す列Ｙ１２が、照度検知機構３０の列Ｙ１２’と相対し、図１５中点線「Ｙ１３」で示す列Ｙ１３が、照度検知機構３０の列Ｙ３’と相対するようになっており、図１５中点線「Ｘ１１」で示す行Ｘ１１が照度検知機構３０の行Ｘ１１’と相対し、図１５中点線「Ｘ１２」で示す行Ｘ１２が照度検知機構３０の行Ｘ２’と相対し、図１５中点線「Ｘ１３」で示す行Ｘ１３が照度検知機構３０の行Ｘ３’と相対し、図１５中点線「Ｘ１４」で示す行Ｘ１４が照度検知機構３０の行Ｘ４’と相対し、図１５中点線「Ｘ１５」で示す行Ｘ１５が照度検知機構３０の行Ｘ５’と相対し、図１５中点線「Ｘ１６」で示す行Ｘ１６が照度検知機構３０の行Ｘ６’と相対し、図１５中点線「Ｘ１７」で示す行Ｘ１７が照度検知機構３０の行Ｘ７’と相対するようになっている。
【０１０４】
各紫外線照射機構１６の紫外線の「照度検知処理」では、第１の実施形態と同様に、制御部６１のＣＰＵが、各紫外線照射機構１６を照度検知機構３０の直上に位置させ、各センサ３１，３２，３３の検知結果に基づき、図５に示すような紫外線の２次元照度分布を生成する。
【０１０５】
２次元照度分布を生成したら、第１の実施形態と同様に、その２次元照度分布から、各列Ｙ１１〜Ｙ１３の照度プロファイルと各行Ｘ１１〜Ｘ１７の照度プロファイルとを生成して「照度低下」及び「照度不足」の有無を判断し、必要に応じて「照度表示処理」及び「積分値上昇処理」をおこなう。
【０１０６】
なお、本第２の実施形態において、２次元照度分布から各列Ｙ１１〜Ｙ１３の照度プロファイルを生成し、列Ｙ１１，Ｙ１３の照度プロファイル中の照度が規定照度以上で、列Ｙ１２の照度プロファイル中の照度が規定照度未満であった場合には、列Ｙ１１，Ｙ１３に沿う各長尺部１７ａ，１７ｂ，１７ｅ，１７ｆには「照度低下」の部位は無いと判断し、他方、列Ｙ１２に沿う各長尺部１７ｃ，１７ｄに「照度低下」の部位が存すると判断するとともに、列Ｙ１２の照度プロファイルに基づき、長尺部１７ｃ，１７ｄの各部位のなかから「照度低下」と判断された部位（図１５中点線で示す円形部参照）を具体的に特定する。すなわち、第１の実施形態では「照度低下」の光源（ＬＥＤ１３，１４，１５）を具体的に特定できたのに対し、第２の実施形態では「照度低下」の部位を特定できるようになっている。
【０１０７】
以上の第２の実施形態では、各紫外線照射機構１６の紫外線の照度検知処理において、第１の実施形態と同様に、各センサ３１，３２，３３の検知結果に基づき、各列Ｙ１１〜Ｙ１３及び各行Ｘ１１〜Ｘ１７の照度プロファイルを生成して「照度低下」及び「照度不足」の有無を判断し、必要に応じて「照度表示処理」及び「積分値上昇処理」をおこなうようになっている。そのため、各紫外線照射機構１６から照射される紫外線の照度が低下した状態で、画像の記録動作がおこなわれるのを未然に防止することができ、ひいては各紫外線照射機構１６の紫外線の照度低下に対応した適切な画像の記録動作をおこなうことができる。
【０１０８】
なお、第２の実施形態では、本発明の主旨を逸脱しない範囲において種々の改良及び設計の変更をおこなってもよい。
例えば、上記第２の実施形態では、照度検知機構３０のセンサ（センサ３１，３２，３３）の列数に応じて、列Ｙ１１〜Ｙ１３の３列について放電管１７の紫外線の照度を検知したが、照度検知機構３０のセンサの列数を、放電管１７の長尺部１７ａ〜１７ｆの部数と同一とし、各列のセンサで各長尺部１７ａ〜１７ｆの紫外線の照度をそれぞれ検知してもよい。
【０１０９】
また、紫外線照射機構１６には葛折り状を呈した１本の光源（放電管１７）を配したが、線状の光源を、単に１本配してもよいし、２列以上にわたり２本以上配してもよい。放電管１７に代えて線状の光源を適用した場合には、照度検知機構３０のセンサ（センサ３１，３２，３３）の列数と線状の光源の列数とを同一とし、光源の列数とセンサの列数とが互いに相対するように光源及びセンサを配置するのがよい。
【０１１０】
さらに、上記「照度検知処理」では、紫外線照射機構１６と照度検知機構３０とを静止させた状態で紫外線の照度を検知したが、各構成の一方を他方に対して相対的に移動させながら紫外線の照度を検知する構成としてもよい。このような構成を適用する場合の構成及びそのときの検知態様の一例を、下記の通りに図１６及び図１７を参照しながら説明する。ただし、図１６に示す例は、紫外線を照射する機構として紫外線照射機構１６をそのまま適用したものであり、図１７に示す例は、放電管１７に代えて線状の光源を配した紫外線照射機構を適用したものである。
【０１１１】
１つの構成・検知態様として、照度検知機構３０に代えて図１６（ａ）に示す照度検知機構１１０を適用する。図１６（ａ）に示す照度検知機構１１０は図９（ａ）を用いて説明したものと同様のものである。
【０１１２】
このような構成においては、放電管１７を点灯させたまま紫外線照射機構１６（キャリッジ６）をキャリッジ６の走査方向Ｂに沿う左右方向に移動させながら、その移動中に、照度検知機構１１０の各センサ１１１で紫外線の照度を、長尺部１７ａ〜１７ｆごとに検知させる。
【０１１３】
他の構成・検知態様として、照度検知機構３０に代えて図１６（ｂ）に示す照度検知機構２００を適用する。図１６（ｂ）に示す照度検知機構２００はセンサ３１，３２，３３と同様の複数のセンサ２０１を有しており、各センサ２０１がキャリッジ６の走査方向Ｂに沿って１列に配されている。照度検知機構２００は記録媒体の搬送方向Ａに沿う前後方向に移動自在となっている。
【０１１４】
このような構成においては、紫外線照射機構１６を照度検知機構２００の直上で静止させたまま放電管１７を点灯させ、その点灯中に、照度検知機構２００を記録媒体の搬送方向Ａに沿う前後方向に移動させながら、各センサ２０１で紫外線の照度を検知させる。
【０１１５】
図１６（ｂ）ではセンサ２０１が３個設置されているが、センサ２０１の設置数は適宜変更可能であり、例えば、センサ２０１の設置数を放電管１７の長尺部１７ａ〜１７ｆの部数と同一とし、紫外線の照度を長尺部１７ａ〜１７ｇごとに各センサ２０１で検知させてもよい。
【０１１６】
他の構成・検知態様として、照度検知機構３０に代えて図１６（ｃ）に示す照度検知機構１５０を適用する。図１６（ｃ）に示す照度検知機構１５０は図９（ｅ）を用いて説明したものと同様のものである。
【０１１７】
このような構成においては、紫外線照射機構１６を照度検知機構１５０の直上で静止させたまま放電管１７を点灯させ、その点灯中に、照度検知機構１５０を、記録媒体の搬送方向Ａに沿う前後方向の移動とキャリッジ６の走査方向Ｂに沿う左右方向の移動とを交互に組み合わせた蛇行移動をおこなわせながら、放電管１７の長尺部１７ａ〜１７ｆごとにセンサ１５１で紫外線の照度を検知させる。
【０１１８】
他の構成・検知態様として、紫外線照射機構１６に代えて図１７（ａ）に示す紫外線照射機構２１０を適用し、照度検知機構３０に代えて図１７（ａ）に示す照度検知機構１１０を適用する。紫外線照射機構２１０は、放電管１７と同様に紫外線を放射する単一の線状の放電管２１１を有しており、放電管２１１が記録媒体の搬送方向Ａに沿って配されている。図１７（ａ）に示す照度検知機構１１０は図９（ａ）を用いて説明したものと同様のものである。
【０１１９】
このような構成においては、放電管２１１を点灯させたまま紫外線照射機構２１０（キャリッジ６）をキャリッジ６の走査方向Ｂに沿う左右方向に移動させ、その移動中に、照度検知機構１１０の各センサ１１１で紫外線の照度を検知させる。
【０１２０】
他の構成・検知態様として、紫外線照射機構１６に代えて図１７（ｂ）に示す紫外線照射機構２２０を適用し、照度検知機構３０に代えて図１７（ｂ）に示す照度検知機構１１０を適用する。紫外線照射機構２２０は、放電管１７と同様に紫外線を放射する複数の線状の放電管２２１，２２１，…を有しており、各放電管２２１が記録媒体の搬送方向Ａに沿って複数列にわたり配されている。図１７（ｂ）では放電管２２１が２列にわたり配されているが、３列以上にわたり配されてもよい。図１７（ｂ）に示す照度検知機構１１０は図９（ａ）を用いて説明したものと同様のものである。
【０１２１】
このような構成においては、各放電管２２１を点灯させたまま紫外線照射機構２２０（キャリッジ６）をキャリッジ６の走査方向Ｂに沿う左右方向に移動させ、その移動中に、照度検知機構１１０の各センサ１１０で紫外線の照度を、放電管２２１ごとに順に検知させる。
【０１２２】
他の構成・検知態様として、紫外線照射機構１６に代えて図１７（ｃ）に示す紫外線照射機構２１０を適用し、照度検知機構３０に代えて図１７（ｃ）に示す照度検知機構１３０を適用する。図１７（ｃ）に示す紫外線照射機構２１０は図１７（ａ）を用いて説明したものと同様のものである。図１７（ｃ）に示す照度検知機構１３０は図９（ｃ）を用いて説明したものと同様のものである。
【０１２３】
このような構成においては、紫外線照射機構２１０を照度検知機構１３０の直上で静止させたまま放電管２１１を点灯させ、その点灯中に、照度検知機構１３０を記録媒体の搬送方向Ａに沿う前後方向に移動させながら、センサ１３１で紫外線の照度を検知させる。
【０１２４】
他の構成・検知態様として、紫外線照射機構１６に代えて図１７（ｄ）に示す紫外線照射機構２２０を適用し、照度検知機構３０に代えて図１７（ｄ）に示す照度検知機構２３０を適用する。図１７（ｄ）に示す紫外線照射機構２２０は図１７（ｂ）を用いて説明したものと同様のものである。照度検知機構２３０はセンサ３１，３２，３３と同様の複数のセンサ２３１，２３１，…を有しており、各センサ２３１がキャリッジ６の走査方向Ｂに沿って１列に配されている。センサ２３１は放電管２２１の本数と同じ数だけ配されており、各センサ２３１が放電管２３１と相対するようになっている。照度検知機構２３０は記録媒体の搬送方向Ａに沿う前後方向に移動自在となっている。
【０１２５】
このような構成においては、紫外線照射機構２２０を照度検知機構２３０の直上で静止させたまま各放電管２２１を点灯させ、その点灯中に、照度検知機構２３０を記録媒体の搬送方向Ａに沿う前後方向に移動させながら、放電管２２１ごとに各センサ２３１で紫外線の照度を検知させる。
【０１２６】
他の構成・検知態様として、紫外線照射機構１６に代えて図１７（ｅ）に示す紫外線照射機構２２０を適用し、照度検知機構３０に代えて図１７（ｅ）に示す照度検知機構１５０を適用する。図１７（ｅ）に示す紫外線照射機構２２０は図１７（ｂ）を用いて説明したものと同様のものである。図１７（ｅ）に示す照度検知機構１５０は図９（ｅ）を用いて説明したものと同様のものである。
【０１２７】
このような構成においては、紫外線照射機構２２０を照度検知機構１５０の直上で静止させたまま各放電管２２１を点灯させ、その点灯中に、照度検知機構１５０を、記録媒体の搬送方向Ａに沿う前後方向の移動とキャリッジ６の走査方向Ｂに沿う左右方向の移動とを交互に組み合わせた蛇行移動をおこなわせながら、放電管２２１ごとにセンサ１５１で紫外線の照度を検知させる。
【０１２８】
更に、第２の実施形態では、照度検知機構３０に代えて図１０に示す照度検知機構１６０を適用し、２次元センサ１６２で紫外線の照度を検知させてもよい。
【０１２９】
以上のように、図１５，図１６，図１０に示す構成・検知態様を適用した場合には、第１の実施形態と同様に、図５に示すような２次元照度分布を列Ｙ１１〜Ｙ１３及び行Ｘ１１〜Ｘ１７ごとに更に細かく分割してその各区画に各センサ１１１，２０１，１５１，１３１，２３１，１６２の検知結果に基づく照度を当ててもよい（図１１参照）。この場合にも、第１の実施形態と同様に、各列Ｙ１１〜Ｙ１３で区画列ごとに照度プロファイルを生成して「照度低下」の有無を判断し、必要に応じて「照度表示処理」をおこなうとともに、各行Ｘ１１〜Ｘ１７で区画行ごとに照度プロファイルを生成して「照度不足」の有無を判断し、必要に応じて「積分値上昇処理」をおこなう。
【０１３０】
［第３の実施形態］
本第３の実施形態では、キャリッジ６が記録ヘッド７〜１０及び紫外線照射機構１１，１２をガイド部材５に沿って走査した形態（シリアル方式）に代えて、図１８に示す記録部材８０を用いる形態（ライン方式）が適用され、それ以外の構成（適用可能なインクや記録媒体等を含む。）が上記第１の実施形態と同様となっている。
【０１３１】
下記では第１の実施形態と異なる点を中心に説明をおこなう。
図１８（ａ）は記録部材８０の斜視図であって下方から記録部材８０を見た図面であり、図１８（ｂ）は記録部材８０の側面図である。
図１８（ａ），（ｂ）に示す通り、記録部材８０は、Ｙ，Ｍ，Ｃ，Ｋのインクを下方に向けて吐出する４つの記録ヘッド８１〜８４と、紫外線を下方に向けて照射する紫外線照射機構８５とを備え、これら記録ヘッド８１〜８４と紫外線照射機構８５とが支持部材８６で支持・固定された構成を有している。記録部材８０はプラテン４の直上の位置に固定されている。
【０１３２】
各記録ヘッド８１〜８４は公知のラインヘッドであって、記録媒体の搬送方向Ａと直交する方向に延在しており、その延在方向に沿う長さがプラテン４の幅と略同じとなっている。
【０１３３】
紫外線照射機構８５は記録媒体の搬送方向Ａの記録ヘッド８４より下流側に配置されており、紫外線を放射する光源としての３本の放電管８７〜８９を有している。各放電管８７〜８９は記録媒体の搬送方向Ａと直交する方向に延在しており、その延在方向に沿う長さがプラテン４の幅と略同じとなっている。
【０１３４】
図１８（ａ）中点線「Ｘ２１」で示す行Ｘ２１は放電管８９の長さ方向に沿っており、図１８（ａ）中点線「Ｘ２２」で示す行Ｘ２２は放電管８８の長さ方向に沿っており、図１８（ａ）中点線「Ｘ２３」で示す行Ｘ２３は放電管８７の長さ方向に沿っている。図１８（ａ）中点線「Ｙ２１〜Ｙ２７」で示す列Ｙ２１〜Ｙ２７は記録媒体の搬送方向Ａに沿っており、各間隔が等間隔になっている。
【０１３５】
図１８（ｂ）に示す通り、プラテン４には紫外線照射機構８５の紫外線の照度を検知する照度検知機構９０が配されている。照度検知機構９０はプラテン４の一部を構成しており、紫外線照射機構８５と対向する位置に配置されている。
【０１３６】
図１９は照度検知機構９０を示す平面図である。
照度検知機構９０には紫外線の照度を検知する複数のセンサ９１，９１，…；９２，９２…；９３，９３…が配されている。センサ９１は、図１９中点線「Ｘ２１’」で示す行Ｘ２１’に沿って等間隔で配されている。同様に、センサ９２は、図１９中点線「Ｘ２２’」で示す行Ｘ２２’に沿って等間隔で配されている。センサ９３は、図１９中点線「Ｘ２３’」で示す行Ｘ２３’に沿って等間隔で配されている。図１９に示す各行Ｘ２１’〜Ｘ２３’は、記録媒体の搬送方向Ａと直交する方向に沿っている。
【０１３７】
また照度検知機構９０の複数のセンサ９１，９１，…；９２，９２，…；９３，９３，…は、図１９中点線「Ｙ２１’〜Ｙ２７’」で示す列Ｙ２１’〜Ｙ２７’に沿って配されている。図１９に示す各列Ｙ２１’〜Ｙ２７’は記録媒体の搬送方向Ａに沿っており、各列Ｙ２１’〜Ｙ２７’のセンサ９１，９２，９３は列Ｙ２１’〜Ｙ２７’ごとに記録媒体の搬送方向Ａに沿っている。
【０１３８】
このような構成において、図１８（ａ）の行Ｘ２１が図１９の行Ｘ２１’と相対し、図１８（ａ）の行Ｘ２２が図１９の行Ｘ２２’と相対し、図１８（ａ）の行Ｘ２３が図１９の行Ｘ２３’と相対するようになっており、同時に、図１８（ａ）の列Ｙ２１が図１９の列Ｙ２１’と相対し、図１８（ａ）の列Ｙ２２が図１９の列Ｙ２２’と相対し、図１８（ａ）の列Ｙ２３が図１９の列Ｙ２３’と相対し、図１８（ａ）の列Ｙ２４が図１９の列Ｙ２４’と相対し、図１８（ａ）の列Ｙ２５が図１９の列Ｙ２５’と相対し、図１８（ａ）の列Ｙ２６が図１９の列Ｙ２６’と相対し、図１８（ａ）の列Ｙ２７が図１９の列Ｙ２７’と相対するようになっている。
【０１３９】
このような構成を備えるインクジェットプリンタ１では、画像の記録動作において、搬送機構２２が作動して記録媒体が搬送方向Ａに沿って搬送される。この状態において、各記録ヘッド８１〜８４が記録媒体にインクを吐出するとともに、紫外線照射機構９０の各放電管８７〜８９が点灯して記録媒体に着弾したインクに紫外線を照射する。
【０１４０】
そして所定数の画像が記録されるごとに、制御装置６０の制御部６１（ＣＰＵ）が紫外線照射機構９０の紫外線の「照度検知処理」をおこなう。当該照度検知処理は第１の実施形態で説明した照度検知処理と略同様のものである。簡単に説明すると、制御部６１のＣＰＵは、紫外線照射機構８５のすべての放電管８７〜８９を点灯させ、照度検知機構９０の各センサ９１，９２，９３で紫外線の照度を検知させる。
【０１４１】
紫外線の照度を検知させたら、各センサ９１，９２，９３の検知結果に基づき、図５に示すような紫外線の２次元照度分布を生成する。そして、その２次元照度分布から、各行Ｘ２１〜２３の照度プロファイルを生成して「照度低下」の有無を判断し、必要に応じて「照度表示処理」をおこなう。またこれと同時に、その２次元照度分布から、各列Ｙ２１〜Ｙ２７の照度プロファイルを生成して「照度不足」の有無を判断し、必要に応じて「積分値上昇処理」をおこなう。
【０１４２】
なお、第３の実施形態では、本発明の主旨を逸脱しない範囲において種々の改良や設計の変更をおこなってもよい。
例えば、図５に示すような２次元照度分布を生成せずとも、行Ｘ２１〜Ｘ２３にのみ関する紫外線の１次元照度分布を生成し、その１次元照度分布から照度プロファイルを行Ｘ２１〜Ｘ２３ごとに生成して「照度低下」の有無を判断し、必要に応じて上記「照度表示処理」だけをおこなうようにしてもよいし、他方、列Ｙ２１〜Ｙ２７にのみ関する紫外線の１次元照度分布を生成し、その１次元照度分布から照度プロファイルを列Ｙ２１〜Ｙ２７ごとに生成して「照度不足」の有無を判断し、必要に応じて上記「積分値上昇処理」だけをおこなうようにしてもよい。
【０１４３】
また第３の実施形態では、紫外線照射機構８５を３本の放電管８７〜８９で構成したが、放電管の本数を、１本としてもよいし、２本としてもよいし、４本以上としてもよく、放電管８７〜８９を、第１の実施形態で説明したように複数のＬＥＤに代えてもよいし、第２の実施形態で説明したように葛折り状を呈した１本の放電管に代えてもよい。
【０１４４】
また第３の実施形態では、照度検知機構９０を３行（行Ｘ２１’〜Ｘ２３’）にわたるセンサ９１，９１，…；９２，９２，…；９３，９３，…で構成したが、照度検知機構９０を１行に並べた複数のセンサで構成してその照度検知機構を図１８（ｂ）中前後方向に移動させて紫外線の照度を検知してもよい（この場合、逆に、記録部材８０を図１８（ｂ）中前後方向に移動させて紫外線の照度を検知してもよい。）し、照度検知機構９０を単一のセンサで構成してその照度検知機構を図１８（ｂ）中前後方向及び左右方向に移動させて紫外線の照度を検知させてもよいし、照度検知機構９０を図１０の照度検知機構１６０に代えてその照度検知機構で紫外線の照度を検知してもよい。
【０１４５】
このような構成・検知態様を適用した場合（照度検知機構９０を１行に並べた複数のセンサ又は単一のセンサで構成したり、図１０の照度検知機構１６０に代えたりした場合）には、上記第１の実施形態と同様に、図５に示すような２次元照度分布を列Ｙ２１〜Ｙ２７及び行Ｘ２１〜Ｘ２３ごとに更に細かく分割してその各区画に各センサの検知結果に基づく照度を当ててもよい（図１１参照）。この場合にも、上記第１の実施形態と同様に、各列Ｙ２１〜Ｙ２７で区画列ごとに照度プロファイルを生成して「照度低下」の有無を判断し、必要に応じて「照度表示処理」をおこなうとともに、各行Ｘ２１〜Ｘ２３で区画行ごとに照度プロファイルを生成して「照度不足」の有無を判断し、必要に応じて「積分値上昇処理」をおこなう。
【０１４６】
また第３の実施形態では、図１８（ｂ）に示す通り、紫外線照射機構８５と照度検知機構９０とを対にして記録媒体の搬送方向Ａの記録ヘッド８４より下流側にのみ配したが、図２０に示す通り、紫外線照射機構８５と照度検知機構９０とを各記録ヘッド８１〜８４の下流側にそれぞれ配してもよい（この場合、各紫外線照射機構８５と各紫外線照射機構９０とを上記のように変形させてもよい。）。
【０１４７】
更に、上記以外にも、第１〜第３の実施形態では、本発明の主旨を逸脱しない範囲において種々の改良や設計の変更をおこなってもよい。
例えば、第１〜第３の各実施形態では、照度検知処理を、画像の記録動作を開始するごとにおこなってもよいし、ユーザによる表示パネル２１のパネル操作時におこなってもよく、必要に応じておこなう照度表示処理に代えて又は加えて、照度検知処理に続く画像の記録動作を強制的に停止させる処理をおこなってもよい。
【０１４８】
また第１〜第３の実施形態では、２次元照度分布の生成処理において、紫外線照射機構１１，１２，１６，８５の形態（光源の種類や数等）や照度検知機構３０，９０の形態（センサの種類や数等）に応じて又はそれらとは無関係に、列Ｙ１〜Ｙ３，Ｙ１’〜Ｙ３’，Ｙ１１〜Ｙ１３，Ｙ１１’〜Ｙ１３’，Ｙ２１〜Ｙ２７，Ｙ２１’〜Ｙ２７’の列数を任意に設定してもよいし、これと同様に、行Ｘ１〜Ｘ７，Ｘ１’〜Ｘ７’，Ｘ１１〜Ｘ１７，Ｘ１１’〜Ｘ１７’，Ｘ２１〜Ｘ２３，Ｘ２１’〜Ｘ２３’の行数も任意に設定してよい。
【０１４９】
また、上記の第１〜第３の実施形態では、紫外線を放射する光源として点状のＬＥＤ１３，１４，１５や線状の放電管１７，８７〜８９等を適用したが、これらＬＥＤ１３，１４，１５や放電管１７，８７〜８９等に代えて又は加えて、冷陰極殺菌ランプ，熱陰極殺菌ランプ，低圧水銀ランプ，高圧水銀ランプ，無電極ランプ，エキシマランプ，メタルハライドランプ，キセノンランプ等を適用してもよい。
【０１５０】
また、図３や図１９に示す照度検知機構３０，９０等のように、複数のセンサを有する照度検知機構を適用する場合、当該照度検知機構には、検知波長域の異なるセンサを２種以上配してもよい。この場合、波長域の異なる紫外線をそれぞれ検知することができ、例えば、紫外線照射機構１６等のように、単一の光源（放電管１７）を有する紫外線照射機構が用いられたときには、短波長側と長波長側との両方の紫外線の照度をそれぞれ検知することができる。
【図面の簡単な説明】
【０１５１】
【図１】インクジェットプリンタの斜視図である。
【図２】紫外線照射機構の斜視図である。
【図３】照度検知機構の平面図である。
【図４】インクジェットプリンタの回路構成を示すブロック図である。
【図５】２次元照度分布の一例を示す図面である。
【図６】（ａ）列Ｙ１の照度プロファイル、（ｂ）列Ｙ２の照度プロファイル及び（ｃ）列Ｙ３の照度プロファイルの一例を示す図面である。
【図７】（ａ）行Ｘ１の照度プロファイル、（ｂ）行Ｘ２の照度プロファイル、（ｃ）行Ｘ３の照度プロファイル、…、（ｇ）行Ｘ７の照度プロファイルの一例を示す図面である。
【図８】積分値上昇処理を説明するための図面である。
【図９】図２及び図３の紫外線照射機構及び照度検知機構を設計変更した場合の紫外線照射機構及び照度検知機構の構成及びその構成を適用したときの検知態様を説明するための図面（平面図）である。
【図１０】図３の紫外線照射機構の変形例を示す図面である。
【図１１】図５の２次元照度分布の変形例を示す図面である。
【図１２】（ａ）列Ｙ１の４番目の区画列の照度プロファイル、（ｂ）列Ｙ２の４番目の区画列の照度プロファイル及び（ｃ）列Ｙ３の４番目の区画列の照度プロファイルを示す図面である。
【図１３】（ａ）行Ｘ１の４番目の区画行の照度プロファイル、（ｂ）行Ｘ２の４番目の区画行の照度プロファイル、（ｃ）行Ｘ３の４番目の区画行の照度プロファイル、…、（ｇ）行Ｘ７の４番目の区画行の照度プロファイルを示す図面である。
【図１４】図１３の照度プロファイルを生成した場合の積分値上昇処理を説明するための図面である。
【図１５】第２の実施形態に係る紫外線照射機構を示す斜視図である。
【図１６】図３の照度検知機構を設計変更した場合の照度検知機構の構成及びその構成を適用したときの検知態様を説明するための図面（平面図）である。
【図１７】図３及び図１５の紫外線照射機構及び照度検知機構を設計変更した場合の紫外線照射機構及び照度検知機構の構成並びにその構成を適用したときの検知態様を説明するための図面（平面図）である。
【図１８】第３の実施形態に係る記録部材の（ａ）斜視図、（ｂ）側面図である。
【図１９】第３の実施形態に係る照度検知機構を示す平面図である。
【図２０】図１８の記録部材の変形例を示す図面である。
【符号の説明】
【０１５２】
１  インクジェットプリンタ
７〜１０，８１〜８４  記録ヘッド
１１，１２，１６，８５  紫外線照射機構
１３，１４，１５  ＬＥＤ（光源）
１７，８７，８８，８９  放電管（光源）
２１  表示パネル（表示手段）
３０，９０  照度検知機構
３１，３２，３３，９１，９２，９３  センサ
５０  露光手段
６０  制御装置
６１  制御部（制御手段，判断手段）
【図１】
2005246954.tif 000003
【図２】
2005246954.tif 000004
【図３】
2005246954.tif 000005
【図４】
2005246954.tif 000006
【図５】
2005246954.tif 000007
【図６】
2005246954.tif 000008
【図７】
2005246954.tif 000009
【図８】
2005246954.tif 000010
【図９】
2005246954.tif 000011
【図１０】
2005246954.tif 000012
【図１２】
2005246954.tif 000013
【図１３】
2005246954.tif 000014
【図１４】
2005246954.tif 000015
【図１５】
2005246954.tif 000016
【図１６】
2005246954.tif 000017
【図１７】
2005246954.tif 000018
【図１８】
2005246954.tif 000019
【図１９】
2005246954.tif 000020
【図２０】
2005246954.tif 000021
【図１１】
2005246954.tif 000022